(57)【要約】【課題】医療オーダシステムを中心とした病院内各部署の患者情報管理システムとの連動において、医療オーダシステムが発行する一連の診療行為の優先順位を管理し、患者の個人認証を行なうことを可能とするシステムを提供する。【解決手段】病院内で使用する医療オーダシステムと連携し、医療オーダシステムから出力した一連の診療行為項目に優先順位を付与した管理データを作成し、診療行為を行なう各部署に備えた患者情報管理システムに前記管理データを送信し、前記各部署に備えた患者情報管理システムにより患者の個人認証を行なって患者に対応する管理データと照合し、該管理データにおける該部署に対応する診療行為項目の優先順位を確認する機能を有する。【選択図】  図１
2005018501.tif 000002
【特許請求の範囲】
【請求項１】
病院内で使用する医療オーダシステムと連携し、医療オーダシステムから出力した一連の診療行為項目に優先順位を付与した管理データを作成し、診療行為を行なう各部署に備えた患者情報管理システムに前記管理データを送信し、前記各部署に備えた患者情報管理システムにより患者の個人認証を行なって患者に対応する管理データと照合し、該管理データにおける該部署に対応する診療行為項目の優先順位を確認する機能を有することを特徴とする医療オーダシステムと連携する個人認証システム。
【請求項２】
請求項１記載の個人認証システムにおいて、診療行為を行なう各部署の患者情報管理システムに連携する別の表示装置を備え、患者の個人認証結果と優先順位の確認結果を表示することを特徴とする医療オーダシステムと連携する個人認証システム。
【発明の詳細な説明】
【０００１】
【発明の属する技術分野】
本発明は、病院内で患者の本人確認を行うシステムに関し、特に医療オーダシステムと連携して本人確認を行なう個人認証システムに関わる。
【０００２】
【従来の技術】
近年病院での患者取り違え事故が多発しており、診療現場において患者の本人確認を行なうシステムが求められている。このようなシステムとしては、例えば下記の特許文献１に記載の患者情報管理システムのようなものが提案されている。このシステムでは、個人を認証しようとしているシステムと患者の指紋情報を管理するシステムとが１対１の関係で連動し、個々のシステムにおける患者情報管理装置から患者情報を取得し、現場での本人確認を可能としている。
【０００３】
【特許文献１】
特開平９−２３１２８８号公報
【０００４】
【発明が解決しようとする課題】
現在、病院内の診療行為はそれぞれ独立した各部署で行ない、１つの診療に対して医師による診断、レントゲン撮影、看護婦による処置、のように複数の部署に跨る診療行為が行なわれる場合が多い。その際、各部署で行なわれる診療行為に順番が必要な場合があり、各部署での本人確認が正しくとも、診療行為の順番違いにより医療ミスが起こる可能性がある。例えば前記の例では医師による問診の前にレントゲン撮影を行なうと、Ｘ線を照射すべきでない患者に照射を行なってしまうという可能性がある。上記従来のシステムでは、各部署のシステムがそれぞれ独立して個人認証を行なうため、複数の診療行為に対する優先順位に関わらず、その診療行為を行なうことができてしまうという問題があった。
【０００５】
本発明の目的は、医療オーダシステムを中心とした病院内各部署の患者情報管理システムとの連動において、医療オーダシステムが発行する一連の診療行為の優先順位を管理し、患者の個人認証を行なうことを可能とするシステムを提供することにある。
【０００６】
また本発明の他の目的は、各部署の患者情報管理システムと別に上記の個人認証を行なうシステムを院内随所に設置し、患者本人が自分の認証を行ない診療行為の順番を確認することを可能とするシステムを提供することにある。
【０００７】
【課題を解決するための手段】
上記課題を解決する為に、本発明の医療オーダシステムと連携する個人認証システムは以下のように構成する。
【０００８】
診療行為を行なう各部署に備えた患者情報管理システムは、医療オーダシステムと連携し、情報の送受信を行なう。医療オーダシステムは出力した一連の診療行為項目に優先順位を付加し、オーダ情報として患者を識別する情報とオーダの内容と優先順位とからなる管理データを各部署の患者情報管理システムに送信する。各部署の患者情報管理システムは、オーダ情報を一時格納する装置と個人認証装置と表示装置から成り、患者の個人認証に必要な情報と個人認証装置に入力された内容を照合する個人認証機能と認証結果の表示機能とを備え、患者の個人認証を行なう。個人認証方法は、指紋等の生体情報でも患者の持つカード情報や識別用に発行されたバーコード情報でも良く、特に方法は限定されない。患者の個人認証に必要な情報は、個人情報を管理するシステムで一元管理し、各部署の患者情報管理システムとデータの送受信を行なう。オーダとして送信され一時格納されている管理データに対応する患者と認証した個人が同一であれば、次に認証を行なった部署での優先順位の確認を行なう。管理データは診療行為の済・未済を入力する項目を備え、その部署での診療行為の優先順位が最上位でなければ、対象となる患者のより上位の診療行為が全て済となっているかを確認する。上位の診療行為に未済のものがあれば、患者をその診療行為を行なう部署へ誘導する表示を出力する。
【０００９】
各部署の患者情報管理システムは、各部署の入り口等患者の見える場所に個人認証装置と表示装置を備えても良く、また病院内の任意の場所に個人認証と表示機能のみの独立した装置を備えても良い。これにより、患者が個人認証を行ない、自分の診療行為の優先順位と診療行為がどこまで完了したかを表示することで、次の行き先を確認することが可能となる。
【００１０】
また、病院の受付に本システムの個人認証装置を備え、患者の持つ診療カードとその患者の一致により最初の受付を許可する方式としても良い。
【００１１】
【発明の実施の形態】
図１は本発明の実施形態を示すシステム構成図である。
【００１２】
１０は「医療オーダシステム」であり、１１〜１６はその構成要素である。４０は「受付システム」であり、４１〜４３はその構成要素である。６０は「個人認証情報管理システム」であり、６１はその構成要素である。７０および８０は各部署の「患者情報管理システム」であり、７１〜７４および８１〜８４はその構成要素である。
【００１３】
医療オーダシステム１０が医療行為管理の中心となり、患者の個人認証情報を一元管理する個人認証情報管理システム６０と患者情報管理システム７０および８０がこれと連携する。前記システム間では、６２，６３，６４の「個人認証情報」や１７，１８の「管理データ」が送受信される。
【００１４】
図２は本発明の実施におけるデータ構造である。
【００１５】
ａは、患者個人認証時に入力する情報のレコード形式を示す図である。２０１は、患者のＩＤ番号を示す。２０２は、患者氏名を示す。２０３は、患者の性別を示す。
【００１６】
ｂは、患者個人認証情報の照合情報データのレコード形式を示す図である。２０４は、患者のＩＤ番号を示す。２０５は、患者毎に登録されている生体情報に付与する通番を示す。２０６は、生体情報種別を示す。２０７は、生体情報の採取個所を示す。
２０８は、生体情報データを示す。
【００１７】
ｃは、患者診療行為優先順位情報のレコード形式を示す図である。２０９〜２１１は、患者情報を示す。２１２は、来院当日の日付を示す。２１３〜２１７は、診療行為優先順位情報と診療行為に対する実施情報を示す。
【００１８】
ｄは、患者診療行為優先順位の確認情報データのレコード形式を示す図である。２１８〜２２０は、患者情報を示す。２２１は、診療行為を行なう日付を示す。２２２〜２２６は、診療行為優先順位情報と診療行為に対する実施情報を示す。
【００１９】
以下図により患者認証処理の概要を説明する。
【００２０】
病院窓口での受付処理を図１、図２および図３により説明する。図３は、来院受付時の処理フローである。
【００２１】
受付処理においては、患者は患者ＩＤカード等、患者個人認証に必要なキー情報（図２ａ）および、生体情報等、照合に必要な情報を４２の個人認証装置に入力する（ステップ４０１）。入力された情報は、個人認証情報６２として個人認証情報管理システム６０に送信し、患者個人認証情報記憶装置６１に登録されている情報（図２ｂ）と照合する。その照合結果を受付システムに渡す（ステップ４０２）。照合結果が「一致」の場合は、医療オーダシステム１０の患者情報管理装置１２から当該患者の予約診療行為情報を抽出し、受付システム４０に渡し、表示する（ステップ４０３）。表示される診療行為に対し、受診科の追加をする場合は、追加登録を行なう（ステップ４０４）。医療オーダシステム１０の優先順位付加機能１３により、患者診療行為優先順位情報記憶装置に当日の全ての診療行為が登録（図２ｃ）され、優先順位情報が生成される（ステップ４０５）。この優先順位情報を、当日の行先案内情報として表示する（ステップ４０６）。
【００２２】
次に、診察受診時の処理を図１と図２および図４により説明する。図４は、診察受診時の処理フローである。
【００２３】
診察受診時処理においては、医療オーダシステム用端末装置において、医師が受診患者を選択する（ステップ４０７）。選択した受診患者に対し、患者個人認証照合に必要な情報を１５の個人認証装置に入力する。入力された情報を個人認証情報管理システムで登録されている情報と照合し、その照合結果を医療オーダシステムに渡す（ステップ４０８）。照合結果が「一致」の場合は、患者診療行為優先順位情報記憶装置１４から当該患者の診療行為優先順位情報を抽出（図２ｄ）し、診療行為優先順位の照合を行ない、これから行なう診療行為の順番が正しいことを確認する（ステップ４０９）。
【００２４】
確認した後、診療行為を行ない、受診済み情報や追加オーダ情報を患者情報記憶装置１２に登録する（ステップ４１０）。患者情報記憶装置１２に登録すると、受診済み情報または追加オーダ情報は患者診療行為優先順位情報記憶装置１４にも登録され、優先順位情報が再生成される（ステップ４１１）。この優先順位情報を元に、次の診療行為について行先案内を表示する（ステップ４１２）。
【００２５】
次に、検査実施時の処理を図１と図５により説明する。図５は、検査実施時の処理フローである。
【００２６】
検査実施時処理においては、医療オーダシステム用端末装置において、技師が受診患者を選択する（ステップ４１３）。選択した受診患者に対し、患者個人認証照合に必要な情報を１５の個人認証装置に入力する。入力された情報を個人認証情報管理システムで登録されている情報と照合し、その照合結果を医療オーダシステムに渡す（ステップ４１４）。照合結果が「一致」の場合は、患者診療行為優先順位情報記憶装置１４から当該患者の診療行為優先順位情報を抽出し、診療行為優先順位の照合を行ない、これから行なう診療行為の順番が正しいことを確認する（ステップ４１５）。
【００２７】
確認した後、検査行為を行ない、検査済み情報を患者情報記憶装置１２に登録する。患者情報記憶装置１２に登録すると、患者診療行為優先順位情報記憶装置１４にも登録され、優先順位情報が再生成される（ステップ４１６）。
【００２８】
この優先順位情報を元に、次の診療行為について行先案内を表示する（ステップ４１７）。
【００２９】
次に、行先案内時の処理を図１と図６により説明する。図６は、行先案内時の処理フローである。
【００３０】
行先案内時処理においては、患者は患者ＩＤカード等、患者個人認証に必要な情報を４２の個人認証装置に入力する（ステップ４１８）。入力された情報は、個人認証情報６２として個人認証情報管理システム６０に送信し、患者個人認証情報記憶装置６１に登録されている情報と照合する。その照合結果を受付システムに渡す（ステップ４１９）。照合結果が「一致」の場合は、医療オーダシステム１０の患者診療行為優先順位情報記憶装置１４から当該患者の診療行為優先順位情報を抽出する（ステップ４２０）。この優先順位情報を、当日の行先案内情報として表示する（ステップ４２１）。
【００３１】
表示画面の一例を図７に示す。ここでは患者の個人情報と、その日の診療項目と行先及びその位置を優先順位順に表示し、実施済の項目には「済」と表示してある。
【００３２】
【発明の効果】
以上本発明によれば、オーダシステムと連携した各部門の診療行為において、患者の個人認証と共に優先順位を確認することが可能となり、正しい患者に正しい順番で診療行為を行なうことが可能となる効果がある。
【００３３】
また、上記の個人認証を行なうシステムを院内随所に設置することで、行先案内装置としての機能を果たすことになり、患者自身で診療行為の順番と受診済みの診療行為、次の診療行為を受ける場所と内容を確認することが可能となる効果がある。
【図面の簡単な説明】
【図１】本発明のオーダシステムと連携する個人認証システムのシステム構成図である。
【図２】本発明のオーダシステムと連携する個人認証システムのデータ構造図である。
【図３】本発明のオーダシステムと連携する個人認証システムの受付時の処理フローである。
【図４】本発明のオーダシステムと連携する個人認証システムの診察受診時の処理フローである。
【図５】本発明のオーダシステムと連携する個人認証システムの検査実施時の処理フローである。
【図６】本発明のオーダシステムと連携する個人認証システムの行先案内確認時の処理フローである。
【図７】本発明のオーダシステムと連携する個人認証システムの行先案内表示装置の表示方法を説明する図である。
【符号の説明】
１０…医療オーダシステム、１１…オーダ作成機能、１２…患者情報記憶装置、１３…優先順位付加機能、１４…患者診療行為優先順位情報記憶装置、１５…個人認証装置、１６…管理データ、４０…受付システム、４１…受付情報記憶装置、６０…個人認証情報管理システム、６１…患者個人認証情報記憶装置、６２…個人認証情報、７０…患者情報管理システムＡ、７１…管理データ一時保管用記憶装置、７２…優先順位確認機能、２０１…患者番号、２０２…患者氏名、２０３…性別、２０５…通番、２０６…生体情報種別、２０７…採取個所、２０８…生体情報、２１２…対象日、２１３…優先順位、２１４…行き先、２１５…場所、２１６…項目、２１７…実施情報、５０１…表示装置１（待合室等に設置）。
【図１】
2005018501.tif 000003
【図２】
2005018501.tif 000004
【図３】
2005018501.tif 000005
【図４】
2005018501.tif 000006
【図５】
2005018501.tif 000007
【図６】
2005018501.tif 000008
【図７】
2005018501.tif 000009